(57)【要約】【課題】消費電力を削減しつつＯＬＥＤ素子の温度特性を補正する。【解決手段】電源回路６００は、温度に応じた基準電圧Ｖｒｅｆ１を出力する補正テーブルＬＵＴｒを備えた補正回路６１０と、電圧調整回路６２１を備えた電源電圧供給回路６２０を有する。基準電圧Ｖｒｅｆ１に基づいて第２電源電位Ｖｓｓｒを生成する。第２電源電位Ｖｓｓｒは、駆動トランジスタから供給される駆動電流に応じて発光するＯＬＥＤ素子の陰極に供給される。ここで、第２電源電位Ｖｓｓｒは、駆動トランジスタの動作点が線形領域と飽和領域との境界となるように設定される。【選択図】図６
2008256827.tif 000002
【特許請求の範囲】
【請求項１】
第１電極と第２電極との間に流れる駆動電流に応じた光量で発光する発光素子と、前記
駆動電流を前記第１電極に供給する駆動トランジスタとを備えた画素回路の駆動方法であ
って、
前記駆動トランジスタのソースに第１電位を供給し、
前記発光素子の温度を検出し、
検出された温度に応じて前記第２電極に供給する第２電位を調整する、
ことを特徴とする画素回路の駆動方法。
【請求項２】
前記駆動トランジスタのドレイン・ソース間の電圧が、温度が変化しても一定となるよ
うに、検出された温度に応じて前記第２電位を調整することを特徴とする請求項１に記載
の画素回路の駆動方法。
【請求項３】
前記第２電位の温度に応じた変化分は、前記駆動電流を一定としたとき温度に応じて変
化する前記発光素子の前記第１電極と前記第２電極間の電圧の変化分と一致することを特
徴とする請求項１または２に記載の画素回路の駆動方法。
【請求項４】
前記第２電位は、検出された温度において、前記発光素子を最大の輝度で発光させる場
合に、前記駆動トランジスタの動作点が線形領域と飽和領域との境界の近傍となるように
定めることを特徴とする請求項１乃至３のうちいずれか1項に記載の画素回路の駆動方法
。
【請求項５】
第１電極と第２電極との間に流れる駆動電流に応じた光量で発光する発光素子と、前記
駆動電流を前記第１電極に供給する駆動トランジスタとを備えた画素回路が複数配列され
た発光装置であって、
前記発光素子の温度を検出する温度検出手段と、
前記駆動トランジスタのソースに第１電位を供給すると共に前記第２電極に第２電位を
供給し、検出された温度に応じて前記第２電位を調整する電源供給手段とを備える、
ことを特徴とする発光装置。
【請求項６】
前記発光素子は複数種類の発光色を有し、
前記電源供給手段は、前記発光素子の発光色に応じて、個別に前記第２電位を生成して
、対応する発光色の発光素子に供給することを特徴とする、
請求項５に記載の発光装置。
【請求項７】
前記電源供給手段は、前記駆動トランジスタのドレイン・ソース間の電圧が、温度が変
化しても一定となるように、検出された温度に応じて前記第２電位を調整する調整手段を
備えることを特徴とする請求項５または６に記載の発光装置。
【請求項８】
前記電源供給手段は、前記第２電位の温度に応じた変化分を、前記駆動電流を一定とし
たとき温度に応じて変化する前記発光素子の前記第１電極と前記第２電極間の電圧の変化
分と一致させるように前記第２電位を調整する調整手段を備えることを特徴とする請求項
５または６に記載の発光装置。
【請求項９】
前記電源供給手段は、検出された温度において、前記発光素子を最大の輝度で発光させ
る場合に、前記駆動トランジスタの動作点が線形領域と飽和領域との境界の近傍となるよ
うに前記第２電位を調整する調整手段を備えることを特徴とする請求項５または６に記載
の発光装置。
【請求項１０】
前記調整手段は、温度と前記第２電位を補正するための補正データとを対応づけて記憶
した記憶手段を備え、当該記憶手段を参照して、検出された温度に対応する補正データを
読み出し、読み出した補正データに基づいて前記第２電位を調整することを特徴とする請
求項６乃至９のうちいずれか１項に記載の発光装置。
【請求項１１】
前記第２電位を接地電位より低く設定することを特徴とする請求項６乃至１０のうちい
ずれか１項に記載の発光装置。
【請求項１２】
前記発光素子は、有機発光ダイオードであることを特徴とする請求項６乃至１１のうち
いずれか１項に記載の発光装置。
【請求項１３】
請求項６乃至１２のうちいずれか1項に記載の発光装置を備えたことを特徴とする電子
機器。
【発明の詳細な説明】
【技術分野】
【０００１】
本発明は、有機発光ダイオードなどの発光素子を用いた画素回路の駆動方法、発光装置
、および電子機器に関する。
【背景技術】
【０００２】
液晶表示装置に替わる画像表示装置として、有機発光ダイオード素子（以下、ＯＬＥＤ
素子と称する。）を備えた装置が注目されている。ＯＬＥＤ素子は、この素子は、電気的
にはダイオードのように動作し、光学的には、順バイアス時に発光して順バイアス電流の
増加にともなって発光輝度が増加する。
【０００３】
一般にＯＬＥＤ素子の輝度は供給されたデータに応じた駆動電流に依存している。例え
ば、図１３に示す画素回路では、駆動トランジスタＴｒのゲート・ソース間の電圧に応じ
た駆動電流がＯＬＥＤ素子に流れる。発光装置は複数のＯＬＥＤ素子を備える。
このような発光装置は、ＯＬＥＤ素子やこれを駆動する駆動回路で消費される電力によ
って、発光装置の温度が上昇する。ＯＬＥＤ素子は、同じ駆動電流または駆動電圧にあっ
ても、温度上昇に従って輝度が上昇するという性質がある。その問題として、表示品質が
低下すると共に無駄な電力は熱として消費されしまう。さらに発光装置の熱発散は発生し
た熱より遅い（間に合わない）場合、最悪、ＯＬＥＤ素子や駆動トランジスタが破損して
しまう可能性がある。その対策としては、放熱板もしくは冷却機構を設けるなどが挙げら
れる、しかしそれらの機構を設けることでパネルの小型化、薄型化の妨げることになる。
また発光装置全体の低消費電力化も困難となる。
そこで、ＯＬＥＤ素子の温度特性を補正するため、電源電位Ｖｄｄを調整して駆動電圧
および駆動電流の大きさを制御する技術が知られている。
【０００４】
【特許文献１】ＷＯ９８／４０８７１号公報
【発明の開示】
【発明が解決しようとする課題】
【０００５】
ところで、駆動トランジスタは、ドレイン・ソース間の電圧によらずに駆動電流の大き
さを一定にすることが望ましいので、図１３に示す飽和領域で動作させることが好ましい
。しかしながら、温度が高い場合と低い場合では、動作点Ｑ１，Ｑ２が変化するので、常
に飽和領域で動作させるためには、マージンを見込んで、ドレイン・ソース間の電圧Ｖｄ
ｓを高く設定しなければならない。そうすると、消費電力が高くなるといという問題があ
る。
本発明は上述した事情に鑑みてなされたものであり、消費電力を低減しながら、温度上
昇による輝度変動を低減することを解決課題とする。
【課題を解決するための手段】
【０００６】
上述した課題を解決するため、本発明に係る画素回路の駆動方法は、第１電極と第２電
極との間に流れる駆動電流に応じた光量で発光する発光素子と、前記駆動電流を前記第１
電極に供給する駆動トランジスタとを備えた画素回路を駆動する方法であって、前記駆動
トランジスタのソースに第１電位を供給し、前記発光素子の温度を検出し、検出された温
度に応じて前記第２電極に供給する第２電位を調整することを特徴とする。
【０００７】
この発明によれば、発光素子の第２電極に供給する電位を調整するので、駆動トランジ
スタの動作点を温度に応じて調整することができる。発光素子は同一の輝度で発光する場
合であっても温度に応じて第１電極と第２電極との間の電圧が変化する一方、同一の輝度
で発光させる場合、温度が変化しても駆動電流の大きさは殆ど変化しない。このため、温
度に応じて第２電位を調整することによって、駆動トランジスタの動作点を調整しつつ、
発光輝度を補正することが可能となる。
【０００８】
より具体的には、前記駆動トランジスタのドレイン・ソース間の電圧が、温度が変化し
ても一定となるように、検出された温度に応じて前記第２電位を調整することが好ましい
。この場合には、駆動トランジスタのドレイン・ソース間の電圧を一定に保つことができ
るので、温度が変化しても駆動トランジスタの消費電力を一定に保つことができる。
【０００９】
また、前記第２電位の温度に応じた変化分は、前記駆動電流を一定としたとき温度に応
じて変化する前記発光素子の前記第１電極と前記第２電極間の電圧の変化分と一致するこ
とが好ましい。駆動電流と発光素子の発光輝度は温度が変化しても一定であるので、変化
分を一定とすることで、温度に応じて変化する発光素子の発光輝度を補正することができ
る。
【００１０】
また、前記第２電位は、検出された温度において、前記発光素子を最大の輝度で発光さ
せる場合に、前記駆動トランジスタの動作点が線形領域と飽和領域との境界の近傍となる
ように定めることが好ましい。この場合には、駆動トランジスタを飽和領域で動作させる
ためのマージンを大幅に削減することができるので、駆動トランジスタの消費電力を低減
することが可能となる。
【００１１】
次に、本発明に係る発光装置は、第１電極と第２電極との間に流れる駆動電流に応じた
光量で発光する発光素子と、前記駆動電流を前記第１電極に供給する駆動トランジスタと
を備えた画素回路が複数配列されたものであって、前記発光素子の温度を検出する温度検
出手段と、前記駆動トランジスタのソースに第１電位を供給すると共に前記第２電極に第
２電位を供給し、検出された温度に応じて前記第２電位を調整する電源供給手段とを備え
ることを特徴とする。
【００１２】
この発明によれば、発光素子の第２電極に供給する電位を調整するので、駆動トランジ
スタの動作点を温度に応じて調整することができる。発光素子は同一の輝度で発光する場
合であっても温度に応じて第１電極と第２電極との間の電圧が変化する一方、同一の輝度
で発光させる場合、温度が変化しても駆動電流の大きさは殆ど変化しない。このため、温
度に応じて第２電位を調整することによって、駆動トランジスタの動作点を調整しつつ、
発光輝度を補正することが可能となる。
【００１３】
上述した発光装置において、前記発光素子は複数種類の発光色を有し、前記電源供給手
段は、前記発光素子の発光色に応じて、個別に前記第２電位を生成して、対応する発光色
の発光素子に供給することを特徴とする。発光素子は発光材料の発光特性に応じて所定の
発光色で発光する。したがって、発光色が相違すれば、発光材料の温度特性も相違する。
この発明によれば、複数種類の発光素子を用いる場合に個別に第２電位を設定するので、
発光装置全体として、消費電力を削減しつつ、温度上昇による輝度変動を低減することが
できる。尚、前記発光素子は単一の発光色で発光する素子で構成され、前記第２電極は複
数の前記発光素子に共通に設けられていてもよい。このようにすれば、前記第２電極を個
別に設ける必要がないため、構造を簡略化することができる。
【００１４】
また、前記電源供給手段は、前記駆動トランジスタのドレイン・ソース間の電圧が、温
度が変化しても一定となるように、検出された温度に応じて前記第２電位を調整する調整
手段を備えることが好ましい。この場合には、駆動トランジスタのドレイン・ソース間の
電圧を一定に保つことができるので、温度が変化しても駆動トランジスタの消費電力を一
定に保つことができる。
【００１５】
また、前記電源供給手段は、前記第２電位の温度に応じた変化分を、前記駆動電流を一
定としたとき温度に応じて変化する前記発光素子の前記第１電極と前記第２電極間の電圧
の変化分と一致させるように前記第２電位を調整する調整手段を備えることが好ましい。
駆動電流と発光素子の発光輝度は温度が変化しても一定であるので、変化分を一定とする
ことで、温度に応じて変化する発光素子の発光輝度を補正することができる。
【００１６】
また、前記電源供給手段は、検出された温度において、前記発光素子を最大の輝度で発
光させる場合に、前記駆動トランジスタの動作点が線形領域と飽和領域との境界の近傍と
なるように前記第２電位を調整する調整手段を備えることを特徴とする。この場合には、
駆動トランジスタを飽和領域で動作させるためのマージンを大幅に削減することができる
ので、駆動トランジスタの消費電力を低減することが可能となる。
【００１７】
前記調整手段は、温度と前記第２電位を補正するための補正データとを対応づけて記憶
した記憶手段を備え、当該記憶手段を参照して、検出された温度に対応する補正データを
読み出し、読み出した補正データに基づいて前記第２電位を調整することが好ましい。こ
の場合には、記憶手段を参照すれば補正データを取得できるので、演算によって補正デー
タを生成する場合と比較して処理負荷を軽減することができる。尤も、処理能力に余裕が
ある場合には、演算によって補正データを算出してもよい。この場合には、記憶手段は不
要となるので、記憶容量を削減することができる。
【００１８】
また、上述した発光装置において、前記第２電位を接地電位より低く設定することが好
ましい。この場合には、第２電位を接地電位とした場合と比較して、駆動トランジスタの
ゲートに供給する電位および第１電位を低電位にすることができ、発光装置全体として、
より一層、消費電力を削減することが可能となる。
さらに、前記発光素子は、有機発光ダイオードであることが好ましい。
【００１９】
次に、本発明に係る電子機器は上述した発光装置を備える。このような電子機器として
は、パーソナルコンピュータ、携帯電話機、携帯情報端末、モニタ、デジタルスチルカメ
ラ、ビューファインダ等が該当する。尚、電子機器（画像形成装置）としてのプリンタに
上述した発光装置を備えてもよい。ここで、発光装置は、感光体ドラムなどの像担持体に
静電潜像を形成するために設けられ、主走査方向に複数の発光素子がアレイ状に配列され
ることにより形成されてもよい。
【発明を実施するための最良の形態】
【００２０】
＜１．実施形態＞
図１は、本発明の実施形態に係る発光装置の概略構成を示すブロック図である。発光装
置１は、発光パネルＡＡと外部回路を備える。発光パネルＡＡには、表示領域Ａ、走査線
駆動回路１００、データ線駆動回路２００、および温度センサ３００が形成される。この
うち、表示領域Ａには、Ｘ方向と平行にｍ本の走査線１０１が形成される。また、Ｘ方向
と直交するＹ方向と平行にｎ本のデータ線１０３が形成される。そして、走査線１０１と
データ線１０３との各交差に対応して画素回路４００Ａが各々設けられている。画素回路
４００ＡはＯＬＥＤ素子を含んでいる。図に示す「Ｒ」、「Ｇ」、および「Ｂ」の符号は
それぞれ「赤」、「緑」、および「青」を意味し、ＯＬＥＤ素子の発光色を示している。
この例にあっては、データ線１０３に沿って各色の画素回路４００Ａが配列されている。
【００２１】
また、各画素回路４００Ａのうち、Ｒ色に対応する画素回路４００Ａは電源線ＬＲと接
続されており、Ｇ色に対応する画素回路４００Ａは電源線ＬＧと接続されており、Ｂ色に
対応する画素回路４００Ａは電源線ＬＢに接続されている。電源回路６００は、第１電源
電位Ｖｄｄと第２電源電位Ｖｓｓとを画素回路４００Ａに供給する。第１電源電位Ｖｄｄ
は、後述する駆動トランジスタ４０１のソースに供給される電位であり、この例において
、第２電源電位Ｖｓｓと比較して高電位であり、すべての画素回路４００Ａに共通である
。なお、第１電源電位ＶｄｄをＯＬＥＤ素子４２０の発光色に応じて各々設定してもよい
。一方、第２電源電位Ｖｓｓは、ＯＬＥＤ素子４２０の発光色に応じて相違する。第２電
源電位ＶｓｓｒはＲ色に、第２電源電位ＶｓｓｇはＧ色に、第２電源電位ＶｓｓｂはＢ色
に各々対応する。
【００２２】
電源回路６００は、基準電源電圧Ｖｒｅｆ１、Ｖｒｅｆ２、およびＶｒｅｆ３を生成す
る補正回路６１０と、第２電源電位Ｖｓｓｒ、Ｖｓｓｇ、およびＶｓｓｂを出力する電源
電圧供給回路６２０とを備える。基準電源電圧Ｖｒｅｆ１はＲ色に、基準電源電圧Ｖｒｅ
ｆ２はＧ色に、基準電源電圧Ｖｒｅｆ３はＢ色に各々対応する。電源電圧供給回路６２０
は、基準電源電圧Ｖｒｅｆ１、Ｖｒｅｆ２、およびＶｒｅｆ３に対し、ＯＬＥＤ素子の温
度特性を考慮した補正処理を施して第２電源電位Ｖｓｓｒ、Ｖｓｓｇ、およびＶｓｓｂを
生成する。第２電源電位Ｖｓｓｒ、Ｖｓｓｇ、およびＶｓｓｂは、電源線ＬＲ、ＬＧおよ
びＬＢを介して、ＲＧＢ各色に対応する画素回路４００Ａに供給される。このように色毎
に電源線ＬＲ、ＬＧ、およびＬＢを設けたのは、色毎にＯＬＥＤ素子の発光特性が相違す
るので、異なる第２電源電位Ｖｓｓｒ、Ｖｓｓｇ、およびＶｓｓｂを各画素回路４００Ａ
に給電する必要があるからである。
【００２３】
走査線駆動回路１００は、複数の走査線１０１を順次選択するための走査信号Ｙ１、Ｙ
２、Ｙ３、…、Ｙｍを生成する。走査信号Ｙ１は、１垂直走査期間（１Ｆ）の最初のタイ
ミングから、１水平走査期間（１Ｈ）に相当する幅のパルスであって、１行目の走査線１
０１に供給される。以降、このパルスを順次シフトして、２、３、…、ｍ行目の走査線１
０１の各々に走査信号Ｙ２、Ｙ３、…、Ｙｍとして供給する。一般的にｉ（ｉは、１≦ｉ
≦ｍを満たす整数）行目の走査線１０１に供給される走査信号ＹｉがＨレベルになると、
当該走査線１０１が選択されたことを示す。
【００２４】
データ線駆動回路２００は、階調データＤに基づいて、選択された走査線１０１に位置
する画素回路４００Ａの各々に対し供給階調信号Ｘ１、Ｘ２、Ｘ３、…、Ｘｎを供給する
。この例において、供給階調信号Ｘ１〜Ｘｎは階調輝度を指示する電圧信号として与えら
れる
【００２５】
温度センサ３００は、発光パネルＡＡの温度を検出して温度信号ＴＳを出力する。温度
センサ３００は、例えば、ダイオード、配線等によって構成することができる。温度セン
サとして配線を用いる場合には、その抵抗値の変化により温度を検出することができる。
前記配線は、画素回路４００Ａ、データ線駆動回路２００、走査線駆動回路１００等に用
いるトランジスタのゲート電極、ソース電極、ドレイン電極と同層及び同一材料で形成し
てもよいし、走査線１０１、データ線１０３等の配線と同層及び同一材料で形成してもよ
いまた、画素回路４００Ａに含まれるＯＬＥＤ素子と同一のＯＬＥＤ素子を同一プロセス
で形成し、これを温度センサ３００として用いてもよい。
【００２６】
タイミング発生回路７００は、各種の制御信号を生成してこれらを走査線駆動回路１０
０およびデータ線駆動回路２００へ出力する。また、画像処理回路８００はガンマ補正等
の画像処理を施した階調データＤを生成し、データ線駆動回路２００へ出力する。なお、
この例では、電源回路６００、タイミング発生回路７００、および画像処理回路８００を
、発光パネルＡＡの外部に設けたが、これらの構成要素の一部または全部を発光パネルＡ
Ａに取り込んでもよく。更に、発光パネルＡＡに設けられた構成要素の一部を外部回路と
して設けてもよい。例えば、温度センサ３００を発光パネルＡＡの外部に設けてもよい。
但し、画素回路４００Ａの温度を検出可能な範囲に配置することが好ましい。
【００２７】
次に、画素回路４００Ａについて説明する。図２に、画素回路４００Ａの回路図を示す
。同図に示す画素回路４００Ａは、ｉ行目のＲ色に対応するものであり、第２電源電位Ｖ
ｓｓｒが供給される。他の色に対応する画素回路４００Ａは、第２電源電位Ｖｓｓｒの代
わりに第２電源電位Ｖｓｓｇ（Ｇ色）または第２電源電位Ｖｓｓｂ（Ｂ色）が供給される
点を除いて、同様に構成されている。画素回路４００Ａは、２個の薄膜トランジスタ（TF
T：thin film transistorsと略す）４０１および４０２と、容量素子４１０と、ＯＬＥＤ
素子４２０とを備える。このうち、Ｐチャネル型のＴＦＴ４０１のソース電極は第１電源
電位Ｖｄｄが供給されるノードに接続される一方、そのドレイン電極はＯＬＥＤ素子４２
０の陽極４２０ａ（第１電極）にそれぞれ接続される。
【００２８】
容量素子４１０の一端はＴＦＴ４０１のソース電極に接続される一方、その他端は、Ｔ
ＦＴ４０１のゲート電極およびＴＦＴ４０２の一方の電極にそれぞれ接続される。ＴＦＴ
４０２のゲート電極は走査線１０１に接続され、その他方の電極は、データ線１０３に接
続される。また、ＯＬＥＤ素子４２０の陰極４２０ｂは電源線ＬＲと接続され、第２電源
電位Ｖｓｓｒが供給される。そして、陽極４２０ａと陰極４２０ｂとの間に発光層が挟持
されて、順方向電流に応じた輝度にて発光する。
【００２９】
このような構成において、走査信号ＹｉがＨレベルになると、Ｎチャネル型のＴＦＴ４
０２がオン状態となるので、ＴＦＴ４０１のゲート電極には、データ信号Ｖdataが書き込
まれ、容量素子４１０によってその電位が保持される。ここで、ＯＬＥＤ素子４２０に流
れる電流Ｉoledは、ＴＦＴ４０１のゲート・ソース間電圧で定まる。
【００３０】
図３乃至図５にＯＬＥＤ素子４２０の温度特性を示す。図３及び図４よりＯＬＥＤ素子
４２０の第１電極４２０ａと第２電極４２０ｂとの間の電圧Ｖoledが同じでも温度によっ
て発光輝度Ｌおよび電流Ｉoledが異なる。また、図５より温度によって電流Ｉoledと発光
輝度Ｌとの関係は殆ど変化しないことが分かる。つまり温度に応じてＯＬＥＤ素子４２０
の両極間の電圧Ｖoledを調整すれば、輝度Ｌの変動を低減させるのに最も有効である。
【００３１】
ここで、電圧Ｖoledを調整するには、２つの態様が考えられる。第１の態様は、駆動ト
ランジスタ４０１のゲート電位（データ振幅）および第１電源電位Ｖｄｄを調整する方法
である。第２の態様は、ＯＬＥＤ素子４２０の陰極４２０ｂの第２電源電位Ｖｓｓを調整
する方法である。本実施形態のように駆動トランジスタ４０１としてＰチャネル型を採用
する場合は、駆動電流Ｉoledはゲート・ソース間電圧Ｖｇｓに依存するので、第２電源電
位Ｖｓｓのみ調整することが好ましい。第１の態様では、駆動トランジスタ４０１のゲー
ト電位（データ振幅）および第１電源電位Ｖｄｄの両方を同じ程度に調整する必要がある
ため、構成が複雑になり発光装置１の小型化に適していない。
【００３２】
そこで、本実施形態では、第２の態様を採用する。この場合、第２電源電位Ｖｓｓは、
第１に、駆動トランジスタ４０１のドレイン・ソース間電圧Ｖｄｓが、温度が変化しても
一定となるように設定する。これにより、温度変化と無関係に駆動トランジスタ４０１の
消費電力が一定となる。第２に、第２電源電位Ｖｓｓの温度に応じた変化分は、駆動電流
Ｉoledを一定としたとき温度に応じて変化するＯＬＥＤ素子４２０の第１電極４２０ａと
第２電極４２０ｂとの間の電圧Ｖoledの変化分と一致するように設定する。第３に、第２
電源電位Ｖｓｓは、検出された温度において、ＯＬＥＤ素子４２０を最大の輝度で発光さ
せる場合に、駆動トランジスタ４０１の動作点が線形領域と飽和領域との境界の近傍とな
るように定める。これにより、駆動トランジスタ４０１の消費電力を削減できる。
【００３３】
図６に電源回路６００の主要部の構成を示す。電源回路６００は、補正回路６１０と電
源電圧供給回路６２０とを備える。補正回路６１０は、温度信号ＴＳをアナログ信号から
デジタル信号に変換して温度データを出力するＡＤ変換器５１０を備える。温度データは
ＲＧＢ各色に対応する補正テーブルＬＵＴｒ、ＬＵＴｇ、およびＬＵＴｂに供給される。
補正テーブルＬＵＴｒには、温度と基準電圧Ｖｒｅｆ１とが対応付けられて記憶されてお
り、補正データが供給されると対応する基準電圧Ｖｒｅｆ１が出力されるようになってい
おる。なお、補正テーブルＬＵＴｒおよびＬＵＴｂについても同様である。
【００３４】
電源電圧供給回路６２０はＲＧＢ各色に対応する電圧調整回路６２１〜６２３を備える
。電圧調整回路６２１は、基準電圧Ｖｒｅｆ１が供給される正入力端子と、出力端子と負
入力端子との間に抵抗Ｒ２を有するオペアンプと、電源Ｖｘと負入力端子との間に設けら
れた抵抗Ｒ１とを備える。第２電源電位Ｖｓｓｒは、以下に示す式で与えられる。
Ｖｓｓｒ＝Ｖｒｅｆ１＋Ｒ２（Ｖｒｅｆ１−Ｖｘ）／Ｒ１
ここで、基準電圧Ｖｒｅｆ１は、温度に応じた電圧であるから、第２電源電位Ｖｓｓｒ
を温度に応じて調整することが可能となる。なお、抵抗Ｒ１およびＲ２の少なくとも一方
を電子ボリュームで構成し、その値を温度に応じて調整してもよい。
【００３５】
図７は駆動トランジスタの動作点の設定方法を説明する説明図である。駆動トランジス
タ４０１の動作点は次のようにして設定する。第１に、ＯＬＥＤ素子４２０の最も高い輝
度に応じて駆動トランジスタ４０１のゲート・ソース間電圧Ｖｇｓを設定する。第２に、
ＯＬＥＤ素子４２０を動作させる温度範囲の中で最低の温度の時に、駆動トランジスタ４
０１の動作点が線形領域と飽和領域との境界になるように第２電源電位Ｖｓｓを設定する
（Ｖds＞Ｖgs-Ｖth）。第３に、ＯＬＥＤ素子４２０の温度特性に応じて補正テーブルＬ
ＵＴ（ＬＵＴｒ〜ＬＵＴｂ）を作成する。
【００３６】
このように、駆動トランジスタ４０１がＰチャネル型で構成される場合、ゲート・ソー
ス間電圧Ｖｇｓは駆動トランジスタ４０１のゲート電位（データ電圧Ｖdata）およびソー
ス電圧（第１電源電位Ｖｄｄ）のみで決定できる。したがって、温度特性に応じて第２電
源電位Ｖｓｓを調整すると、ＯＬＥＤ素子４２０の両極間の電圧Ｖoledのみを変動させる
ことができ、駆動電流Ｉoledの大きさは変わらない。よって、消費電力を低減しつつ、温
度による輝度変動を低減させるのに最も有効な方法である。
【００３７】
ところで、駆動トランジスタ４０１が飽和し始める電圧。すなわち、飽和領域と線形領
域の境界の電圧をＶｐとすると、電圧Ｖｐにおける電流Ｉdsatは、以下の式で与えられる
。Ｉdsat＝１／２・Ｗ／Ｌ・μ・Ｃｏｘ・Ｖｐ２
ただし、Ｗはゲート幅、Ｌはゲート長、μは移動度、Ｃｏｘはゲート容量である。マー
ジンを持たせて設計する場合は、この電圧Ｖｐを小さくする必要がある。これに対して、
Idsatを一定（同じ駆動電流を確保するため）としたとき、本実施形態のようにマージン
を設けず、Ｖｐを大きくすることができる場合には、（Ｗ／Ｌ）を小さくすることができ
る。よって、駆動トランジスタ４０１のゲート幅Ｗを小さくできるので、高精細化が容易
になる。また、駆動トランジスタ４０１とＯＬＥＤ素子４２０とが重ならない構成（例え
ば、ボトムエミッション構造）であれば、ＯＬＥＤ素子４２０の面積を広くすることがで
き、開口率を向上させることができる。
【００３８】
さらに、第２電源電位Ｖｓｓを接地電位未満に設定することが好ましい。この点を図８
を参照して説明する。まず、同図（Ａ）に示すように第２電源電位Ｖｓｓを初期から０Ｖ
（接地電位）とした場合、例えば、駆動トランジスタ４０１のゲート電位（データ振幅）
は３Ｖ〜１３Ｖとなり、その走査線駆動回路１００の高電位電源ＶＨＨは１５Ｖ以上必要
となり、一般的には＋２Ｖした１７Ｖとして設定する。駆動電圧を高くすることで、ＴＦ
Ｔの耐圧を高くする必要がある。そのため回路の信頼性が損なわれ誤動作の可能性がある
。また駆動電圧が高いほうが消費電力大きい。更に回路の応答速度が遅くなるといった問
題もある。
【００３９】
これに対して、同図（Ｂ）に示すように第２電源電位Ｖｓｓを接地電位未満にした場合
、駆動電圧を低くすることで上述した不具合を解消できる。例えば、第２電源電位Ｖｓｓ
を−２Ｖに設定すれば、高電位電源ＶＨＨは１５Ｖで十分となる。これによって、発光装
置１全体の消費電力でより一層削減できる。温度上昇による輝度変動の問題は、表示すべ
き階調に依存する。つまり、全ての画素回路４００Ａについて白のデータを表示する時、
最も消費電力が高く、温度が上昇する。データ信号Ｖdataの振幅を小さくすることで消費
電力を抑え、初期から温度上昇しにくい状態にすることができる。また、同図（Ｂ）のよ
うに、第１電源電位Ｖｄｄの電位も低くすることでき、消費電力を抑えることができる。
【００４０】
以上説明したように本実施形態によれば、温度変化によって輝度変化した分を第２電源
電位Ｖｓｓに反映させて調整したことで、輝度変化をキャンセルすると共に消費電力を低
減させることができる。それと同時に発光パネルＡＡの温度の一方的な上昇を防ぐことが
でき、放熱板や冷却機構を要らないため、発光パネルＡＡの小型化および薄型化を図り、
製造コストを削減することができる。さらに、ＯＬＥＤ素子４２０の焼きつきを防止し発
光パネルＡＡの寿命を延ばすことができる。くわえて、ＯＬＥＤ素子４２０の温度特性を
考慮したマージン設計の必要はないので、駆動トランジスタ４０１の消費電力を大幅に削
減することができる。
【００４１】
なお、上述した実施形態では駆動トランジスタ４０１としてＰチャネル型を用いたが、
Ｎチャネル型の駆動トランジスタ４０１を用いてもよい。この場合、図９に示す画素回路
４００Ｂを採用する。この例では、第２電源電位がＶｄｄｒであり、第１電源電位がＶＣ
Ｔである。すなわち、温度に応じて高電位側の第２電源電位Ｖｄｄｒを可変する。
なお、上述した実施形態では第２電源電位ＶｓｓをＯＬＥＤ素子４２０の発光色に応じ
て相違させ、図６のように、発光色毎に補正テーブルＬＵＴｒ、ＬＵＴｇ、およびＬＵＴ
ｂや電圧調整回路６２１を設けたが、発光色に係らず共通に第２電源電位Ｖｓｓを供給し
、共通に補正テーブル及び電圧調整回路６２１を設けてもよい。このようにすることによ
り、ＯＬＥＤ素子４２０の陰極４２０ｂ及び電源回路６００の構成を簡略化することがで
きる。
例えば、白色もしくは青色の単色で発光する複数のＯＬＥＤ素子４２０が設けられ、カ
ラーフィルタや蛍光変換膜により、青、赤、緑等の複数色を得るのであれば、ＯＬＥＤ素
子４２０の温度特性が共通であるため、第２電源電位Ｖｓｓを複数のＯＬＥＤ素子４２０
に対し共通に供給し、１つの補正テーブル及び１つの電圧調整回路６２１を設けることが
好ましい。
また、上述した実施形態ではＯＬＥＤ素子４２０はＲＧＢの３色で発光するものを記載
したが、単色、２色、４色以上、もしくはＲＧＢの３色とは異なる３色で発光するＯＬＥ
Ｄ素子４２０で構成してもよい。
【００４２】
＜２．応用例＞
次に、上述した実施形態に係る発光装置１を適用した電子機器について説明する。図１
０に、発光装置１を適用したモバイル型のパーソナルコンピュータの構成を示す。パーソ
ナルコンピュータ２０００は、表示ユニットとしての発光装置１と本体部２０１０を備え
る。本体部２０１０には、電源スイッチ２００１およびキーボード２００２が設けられて
いる。この発光装置１はＯＬＥＤ素子４２０を用いるので、視野角が広く見易い画面を表
示できる。
【００４３】
図１１に、発光装置１を適用した携帯電話機の構成を示す。携帯電話機３０００は、複
数の操作ボタン３００１およびスクロールボタン３００２、並びに表示ユニットとしての
発光装置１を備える。スクロールボタン３００２を操作することによって、発光装置１に
表示される画面がスクロールされる。
【００４４】
図１２に、発光装置１を適用した情報携帯端末（ＰＤＡ：Personal Digital Assistant
s）の構成を示す。情報携帯端末４０００は、複数の操作ボタン４００１および電源スイ
ッチ４００２、並びに表示ユニットとしての発光装置１を備える。電源スイッチ４００２
を操作すると、住所録やスケジュール帳といった各種の情報が発光装置１に表示される。
【００４５】
なお、発光装置１が適用される電子機器としては、図１０〜１２に示すものの他、デジ
タルスチルカメラ、液晶テレビ、ビューファインダ型、モニタ直視型のビデオテープレコ
ーダ、カーナビゲーション装置、ページャ、電子手帳、電卓、ワードプロセッサ、ワーク
ステーション、テレビ電話、ＰＯＳ端末、タッチパネルを備えた機器等などが挙げられる
。そして、これらの各種電子機器の表示部として、前述した発光装置１が適用可能である
。なお、発光装置１が適用される電子機器（画像形成装置）としてプリンタであってもよ
い。ここで、発光装置１は、感光体ドラムなどの像担持体に静電潜像を形成するために設
けられ、主走査方向に複数のＯＬＥＤ素子がアレイ状に配列されることにより形成されて
もよい。
【図面の簡単な説明】
【００４６】
【図１】本発明の実施形態に係る発光装置の構成を示すブロック図である。
【図２】同装置における画素回路の構成を示す回路図である。
【図３】同画素回路に用いるＯＬＥＤ素子の温度特性を示すグラフである。
【図４】同画素回路に用いるＯＬＥＤ素子の温度特性を示すグラフである。
【図５】同画素回路に用いるＯＬＥＤ素子の温度特性を示すグラフである。
【図６】同装置における電源回路の主要部の構成を示すブロック図である。
【図７】駆動トランジスタの動作点を説明するためのグラフである。
【図８】電位の関係を示す説明図である。
【図９】変形例に係る画素回路の回路図である。
【図１０】同装置を適用したモバイル型のパーソナルコンピュータの構成を示す斜視図である。
【図１１】同装置を適用した携帯電話機の構成を示す斜視図である。
【図１２】同装置を適用した携帯情報端末の構成を示す斜視図である。
【図１３】従来の発光装置における駆動トランジスタの動作点を説明するための説明図である。
【符号の説明】
【００４７】
１…発光装置、４２０…有機発光ダイオード、４００Ａ，４００Ｂ…画素回路、３００…
温度センサ（温度検出手段）、６００…電源回路、６１０…補正回路、６２０…電源電圧
供給回路、ＴＳ…温度信号、ＬＵＴｒ，ＬＵＴｇ，ＬＵＴｂ…補正テーブル、Ｖｓｓｒ，
Ｖｓｓｇ，Ｖｓｓｂ…第２電源電位、Ｖｒｅｆ１，Ｖｒｅｆ２，Ｖｒｅｆ３…基準電圧。
【図１】
2008256827.tif 000003
【図２】
2008256827.tif 000004
【図３】
2008256827.tif 000005
【図４】
2008256827.tif 000006
【図５】
2008256827.tif 000007
【図６】
2008256827.tif 000008
【図７】
2008256827.tif 000009
【図８】
2008256827.tif 000010
【図９】
2008256827.tif 000011
【図１０】
2008256827.tif 000012
【図１１】
2008256827.tif 000013
【図１２】
2008256827.tif 000014
【図１３】
2008256827.tif 000015